(57)【特許請求の範囲】
【請求項１】
外筒と、該外筒に対し回動自在な内筒とを備え、前記外筒と内筒とに亘ってタンブラーピンが貫通配置されるシリンダ錠に、前記内筒に形成されるカギ穴に合カギを挿入することにより、前記タンブラーピンを前記カギ穴から半径方向所定位置に移動させ、前記外筒と内筒との境界部に前記タンブラーピンのシアラインを一致させることで前記内筒の回動規制を解除する施解錠装置であって、
円形穴状に形成されるカギ穴を備えた内筒と、
前記カギ穴に挿入される挿入部が断面円形が連続する円柱状に形成され、該挿入部の外周面に前記タンブラーピンに対応して深さを組み合わされる複数の凹部が形成される合カギと、
前記内筒のカギ穴内の所定位置に配置され、該カギ穴内方向に突出する係合凸部と、
前記合カギの外周面に形成され、前記係合凸部に係合する係合凹部と、
を具備するとともに、
前記内筒には、半径方向に挿通穴が形成され、該挿通穴に先端が前記係合凸部となる摺動片が前記内筒の半径方向に摺動自在に設けられ、
前記外筒の内周面には、前記挿通穴に対応して空間部が形成され、該空間部内に、前記摺動片の基端に当接し前記係合凸部をカギ穴内に突出状態で支持するとともに、押圧力によって元の形状に復元せず圧潰する支持片が設けられており、
前記合カギによる操作時には、前記シアラインが一致するとともに、前記係合凸部と前記係合凹部とが嵌合し、前記カギ穴内部の形状と前記合カギ挿入部の形状とが合致し、前記合カギの回動操作が前記内筒に伝達され、
前記カギ穴に対して正しく合う形状でない物が挿入された際には、前記係合凸部が押圧されて、前記摺動片の摺動により支持片が圧潰し、前記内筒と前記外筒との境界部分に、前記摺動片が位置して、前記内筒の回動を不能とすることを特徴とする施解錠装置。
【請求項２】
前記合カギの挿入部は、軸方向に段部を介して外径が異なり、多段に形成されて、細径部を備えるとともに、先端が円錐状に形成されることを特徴とする請求項１記載の施解錠装置。
【請求項３】
前記係合凸部は、前記内筒の軸線方向に平行とされる長尺な突条形状に形成され、前記係合凹部は、前記挿入部の軸線方向に平行とされる長尺な溝条に形成されることを特徴とする請求項１または２記載の施解錠装置。
【発明の詳細な説明】
【０００１】
【発明の属する技術分野】
本発明は、シリンダ錠と、このシリンダ錠に対して施解錠操作を行う合カギと具備する施解錠装置の改良に関するものである。
【０００２】
【従来の技術】
近年、特殊な工具を用いることでカギ穴内のタンブラーを操作して不正解錠を行うピッキングと称される犯罪が多発している。そこで、このような不正解錠に対して、施解錠装置のシリンダ錠部分をピッキング困難なものとすることで、不正解錠を防止する対策が採られ始めている。
【０００３】
この種のシリンダ錠としては、図８，９に示すように、例えばすり鉢状の凹部、所謂、ディンプル７１を表裏面の所定の位置に設けた合カギ７３を用いるものがある。このシリンダ錠は、カギ穴に挿入される合カギ７３のディンプル７１に応じてタンブラーピンを移動させ、内筒に外挿した外筒との境界部にタンブラーピンのシアラインを一致させて、内筒を外筒に対し回転規制解除して解錠を行う。
【０００４】
図１１に示すように、このシリンダ錠７５は、合カギ７３を抜きとった状態でタンブラーピン７７がスプリング７９に押され、外筒８１と内筒８３を貫いているため、内筒８３を回転させることができない。一方、図１０に示すように、合カギ７３をカギ穴７６に差し込むと、所定箇所のタンブラーピン７７が後退し、タンブラーピン７７のシアライン８５が外筒８１と内筒８３との境界部８７にそろい、内筒８３を回転させることができる。
【０００５】
【発明が解決しようとする課題】
しかしながら、上記したディンプルタイプのシリンダ錠は、カギ穴に挿入した合カギのディンプルに応じて所定箇所のタンブラーピンを後退させ、タンブラーピンのシアラインを外筒と内筒との境界部に一致させて、内筒の回動規制を解除する点では従来の合カギの側縁に山谷を形成させる構造によるピンシリンダ機構を踏襲したものとなっている。
【０００６】
そして、上記シリンダ錠では、合カギのディンプル形成面に垂直な方向でタンブラーピンを当接させるため、タンブラーピンが当接する方向の距離を大きく確保することができず、カギ違いを増やすことが困難となる。つまり、タンブラーピンが当接する方向の距離が、合カギの厚みに依存していた。これに対し、合カギの厚みを厚くすれば、カギ穴が大きくなり、不正解錠をより容易にさせることとなった。
【０００７】
また、上記構造のシリンダ錠では、略板状に形成される合カギを用いる構成であり、カギ穴の形状を略スリット状に形成した構造であることから、スリットの両端部分を利用するなど、シリンダ錠に対しての回転操作など不正な解錠操作を可能とするような構造となっており、合カギの形状およびカギ穴の形状についても、ピッキング等の不正な操作への対処が望まれている。
【０００８】
本発明は上記状況に鑑みてなされたもので、ピッキング等の不正解錠に対する抵抗力を向上させることが可能となる合カギおよびシリンダ錠の構造をもった施解錠装置を提供する。また、不正な解錠操作等、合カギを用いない解錠操作を行った場合に、解錠を不可能とし、防犯性の向上が図られた施解錠装置を得ることを目的としている。
【０００９】
【課題を解決するための手段】
次に、上記の課題を解決するための手段を、実施の形態に対応する図面を参照して説明する。
この発明の請求項１記載の施解錠装置１は、外筒７と、該外筒７に対し回動自在な内筒１１とを備え、前記外筒７と内筒１１とに亘ってタンブラーピン１７が貫通配置されるシリンダ錠３に、前記内筒１１に形成されるカギ穴１３に合カギ５１を挿入することにより、前記タンブラーピン１７を前記カギ穴１４から半径方向所定位置に移動させ、前記外筒７と内筒１１との境界部２７に前記タンブラーピン１７のシアライン２５を一致させることで前記内筒７の回動規制を解除する施解錠装置１であって、
円形穴状に形成されるカギ穴１３を備えた内筒１１と、
前記カギ穴１３に挿入される挿入部５５が断面円形が連続する円柱状に形成され、該挿入部５５の外周面に前記タンブラーピン１７に対応して深さを組み合わされる複数の凹部５９が形成される合カギ５１と、
前記内筒１１のカギ穴１３内の所定位置に配置され、該カギ穴１３内方向に突出する係合凸部３３と、
前記合カギ５１の外周面に形成され、前記係合凸部３３に係合する係合凹部６１と、
を具備するとともに、
前記内筒１１には、半径方向に挿通穴２９が形成され、該挿通穴２９に先端が前記係合凸部３３となる摺動片３１が前記内筒１１の半径方向に摺動自在に設けられ、
前記外筒７の内周面には、前記挿通穴２９に対応して空間部３５が形成され、該空間部３５内に、前記摺動片３１の基端に当接し前記係合凸部３３をカギ穴１３内に突出状態で支持するとともに、押圧力によって元の形状に復元せず圧潰する支持片３７が設けられており、
前記合カギ５１による操作時には、前記シアライン２５が一致するとともに、前記係合凸部３３と前記係合凹部６１とが嵌合し、前記カギ穴１３内部の形状と前記合カギ挿入部５５の形状とが合致し、前記合カギ５１の回動操作が前記内筒１１に伝達され、
前記カギ穴１３に対して正しく合う形状でない物が挿入された際には、前記係合凸部３３が押圧されて、前記摺動片３１の摺動により支持片３７が圧潰し、前記内筒１１と前記外筒７との境界部分２７に、前記摺動片３１が位置して、前記内筒１１の回動を不能とすることを特徴とする。
【００１０】
この施解錠装置１によれば、合カギ５１の挿入部５５の形状を断面円形な円柱状とし、カギ穴１３の形状を円形穴としたので、このシリンダ錠３に対して不正な解錠操作を行おうとカギ穴１３に工具などを係止しようとしても、掛かる形状でないことから、内筒１１を回動させる操作を行うことが不可能であり、これにより防犯性を得られる。
また、この施解錠装置１によれば、カギ穴１３内に、不正な解錠操作を行おうとして工具などを挿入した際に、係合凸部３３が押圧されると、挿通穴２９に沿って摺動片３１が外筒７の空間部３５へと後退移動することとなり、空間部３５内では摺動片３１を支持していた支持片３７が元の形状に復元せず圧潰される。これにより摺動片３１は、外筒７と内筒１１との境界部２７に位置することとなり、内筒１１を外筒７に対して回動させることが不可能となり、すなわち不正な解錠操作を不能とする。
なお、前記支持片３７を、厚みの薄い円形パイプより構成することで、３１摺動片が後退移動した際には、容易に圧潰され、不正な解錠操作に対する解錠不能状態への移行を確実に行うことが可能となる。
【００１１】
請求項２記載の施解錠装置は、前記合カギ５１の挿入部５５は、軸方向に段部を介して外径が異なり、多段に形成されて、細径部５７を備えるとともに、先端が円錐状に形成されることを特徴とする。
【００１２】
この施解錠装置１によれば、合カギ５１の形状を凹部（ディンプル）５９のみではなく、多段に形成される細径部５７を形成して、これら細径部５７と凹部５９との組み合わせでカギ違いを構成させることが可能となる。
【００１３】
請求項３記載の施解錠装置は、前記係合凸部３３は、前記内筒１１の軸線方向に平行とされる長尺な突条形状に形成され、前記係合凹部６１は、前記挿入部５５の軸線方向に平行とされる長尺な溝条に形成されることを特徴とする。
【００１４】
この施解錠装置によれば、係合凸部３３と係合凹部６１との係合状態が、軸線方向に長尺となり、係合凹部６１側である合カギ５１の回動操作を確実に係合凸部３３側である内筒１１に伝達でき、合カギ５１による内筒１１の施解錠の操作が行えることとなる。
【００１９】
【発明の実施の形態】
図１は本発明による施解錠装置の実施の形態を示す側断面図、図２は同施解錠装置のシリンダ錠の側断面図、図３は同施解錠装置のシリンダ錠の正面図である。
【００２０】
図１に示すように、本発明の施解錠装置１を構成するシリンダ錠３は、外装筒５の内側に、外筒７を相対回転不能に装着する。外装筒５は、基端５ａが図示しない錠機構本体側の錠箱に固定され、先端側半部５ｂが扉面より突出し、さらに外周を化粧リング９などにて覆われる。
外筒７の内部には、カギ穴１３を有した内筒１１を回転自在に内設している。外筒７と内筒１１とには、両者に亘って半径方向に貫通穴１５を穿設している。この貫通穴１５は、一端がカギ穴１３に開口し、他端が外筒７の外周面に開口している。
【００２１】
貫通穴１５は、カギ穴１３の軸線方向に沿って複数配設されるとともに、図４に示すように、カギ穴１３の軸線に対して約４５°傾斜した左右の各位置にも配設され、それぞれカギ穴１３の軸線方向に沿って複数配設され、すなわち本実施の形態では、貫通穴１５がカギ穴１３の軸線方向に対し３方向となっている。
【００２２】
また、貫通穴１５は、カギ穴１３内に開口する先端側が小径穴となり、外筒７の外周面に開口する後端側が大径穴となっている。この小径穴と大径穴との境は、内筒１１内で段部１６となっている。
【００２３】
それぞれの貫通穴１５には、タンブラーピン１７を内設している。
タンブラーピン１７は、外筒７を外装筒５に装着する前に、予め貫通穴１５に装着される。タンブラーピン１７は、先端側となる段付ピン１８と、後端側となるドライバーピン１９とからなる。段付ピン１８は、後端側にフランジ状の角部１８ａを有し、先端側が円錐状に形成される。ドライバーピン１９は、後端側に凹部１９ａを有し、段付ピン１８と同軸上となって段付ピン１８の後端面に当接する。
【００２４】
タンブラーピン１７は、段付ピン１８の角部１８ａが、貫通穴１５の段部１６に当接することで、段付ピン１８の先端が所定寸法、カギ穴１３に突出した状態で、それ以上の突出が止められる（図２参照）。
なお、外筒７の外周面には、湾曲した薄板状の蓋材２１が取り付けられ、外筒７の外周面に位置する貫通穴１５の開口が塞がれる。
【００２５】
蓋材２１とドライバーピン１９の凹部１９ａとの間には、圧縮したスプリング２３を配設している。従って、タンブラーピン１７は、通常時（合カギの非挿入時（図２参照））、先端をカギ穴１３に突出させた状態となり、先端が押圧されることでスプリング２３の付勢力に抗して貫通穴１５内へ後退するようになっている。タンブラーピン１７は、段付ピン１８とドライバーピン１９とに二分割してあり、その境が所謂シアライン２５となる。このシアライン２５は、それぞれのタンブラーピン１７において、先端から異なる位置で設定される。すなわち、内筒１１は、各タンブラーピン１７のシアライン２５が外筒７との境界部２７に全て一致しなければ回動規制が解除されない。
【００２６】
また、内筒１１のカギ穴１３の奥方位置には、半径方向に貫通した互いに対向する一対の挿通穴２９が形成される。
各挿通穴２９は内筒１１の軸線方向に長い長穴よりなり、内筒１１の軸芯を中心に互いが対向して配設される摺動片３１が嵌挿される。摺動片３１は、略矩形板状に形成され、挿通穴２９内を内筒１１の径方向に摺動自在とされる。摺動片３１の長さは、内筒１１の厚さよりやや長尺に形成される。また、摺動片３１の先端は、曲面より形成され略かまぼこ状となり係合凸部３３とされる。摺動片３１が内筒１１に嵌挿されて取り付けられた状態で、先端の係合凸部３３がカギ穴１３内にて突条状に突出する。また摺動片３１の基端は内筒１１の外周面と略面一となる。
【００２７】
内筒１１の各挿通穴２９に対応して、外筒７の内周面における奥方の対向位置には空間部３５が形成される。空間部３５は、外筒７の軸線方向に沿う略凹溝状に形成される。
この凹溝状の空間部３５には、支持片３７が嵌入される。この支持片３７は、圧潰することが可能な素材、好ましくは外力により変形し、元の形状に復元しない材質、すなわち可塑性のある材質よりなり、本実施の形態では円形パイプより構成され、好ましくは、薄厚なパイプよりなる。この支持片３７は空間部３５内に位置し、外筒７内周面より突出せず、内筒１１の摺動片３１基端に当接する。
【００２８】
また、内筒１１と外筒７との境界部分において、タンブラーピン１７の配設される位置に対して対向した位置（図中下部）には、外筒７に対する内筒１１の回転を、一時的に保持し、かつ、外筒７に対して内筒１１を回転させた際のクリック感を得るための係止部３９が配設される。係止部３９は、略杆状の係止部材４１と、この係止部材４１を外筒７内周面から内筒１１外周面に付勢させるバネなどの付勢部材４３で構成される。内筒１１の外周面には軸線方向に沿う溝４５が形成され、この溝４５に係止部材４１がかかり、外筒７に対する内筒１１の回転の一時的な回転停止を行う。
【００２９】
なお、内筒１１の奥方先端には、図示しない錠機構に連動連結される連結ダルマ４７が連結される。この連結ダルマ４７は、外筒７の奥方端部において回動自在に支持されている。
【００３０】
次に、この施解錠装置１に用いられる合カギ５１について説明する。
この合カギ５１は、図５に示すように、つまみ部５３と挿入部５５とで構成される。
つまみ部５３は、略矩形板状に形成される。挿入部５５は、断面円形が連続する円柱状に形成される。本実施の形態の挿入部５５は、図５に示すように、中途部が細径となり、すなわち段部を介して外径が異なり、多段に形成されて、細径部５７を備え、また、先端が円錐状に形成される。
【００３１】
挿入部５５の外周面には、タンブラーピン１７を貫通穴１５内へ後退させ、軸線方向所定位置に配置させる略擂鉢状の凹部、所謂、ディンプル５９が形成される。このディンプル５９は、上記したようにそれぞれ異なるシアライン２５の位置を、境界部２７に一致させる深さを有する。
なお、このディンプル５９は、挿入部５５の外径とも組み合わされ、すなわち、この挿入部５５における細径部５７の径や、ディンプル５９の深さでカギ違いを実現している。
【００３２】
また、この合カギ５１の挿入部５５の先端部における半径方向の外側に位置する両側面には、図６に示すように、係合凹部６１が設けられる。この係合凹部６１は、挿入部５５の軸線方向に沿って長尺とされる略Ｕ字状の凹溝よりなる。本実施の形態では、これら係合凹部６１は、つまみ部５３の板面に対して直交する方向に配置される。そして、内筒１１のカギ穴１３内における上記した係合凸部３３と互いに嵌め合うように構成され、すなわち係合凸部３３の外形と係合凹部６１の溝形状とは略同形に設定される。
【００３３】
次に、このように構成された施解錠装置１の動作を説明する。
図２および図３に示すように、合カギ５１の非挿入時には、各タンブラーピン１７はスプリング２３によって付勢され、先端をカギ穴１３内に突出させている。また、それぞれのタンブラーピン１７のシアライン２５は、不連続となり、その結果ドライバーピン１９が外筒７と内筒１１との境界部２７に配置している。このため、内筒１１は、外筒７に対して回動が規制されている。
【００３４】
このシリンダ錠３に対して図５に示す正規な合カギ５１が挿入されると、合カギ５１先端の係合凹部６１がカギ穴１３内の係合凸部３３と係合しあう。また、同時に、それぞれのタンブラーピン１７が、合カギ６１に設けた所定のディンプル５９に落ち込み、またはタンブラーピン１７が挿入部５５の細径部５７等の外周面にて当接し、貫通穴１５の軸線方向所定位置に移動する。これにより、各タンブラーピン１７のシアライン２５が図１に示すように一直線上に連続し、外筒７と内筒１１との境界部２７に一致する。すなわち、内筒１１は、回動規制が解除された状態となる。
【００３５】
そして、合カギ５１を回動させると、係合凹部６１と係合凸部３３とが軸線方向にて互いに周方向への噛み合いとなり、回動方向の操作力を伝達させ、また摺動片３１基端と支持片３７との境で互いに離れるとともに、シアライン２５を境にタンブラーピン１７が分離し、内筒１１が外筒７に対して回動し、すなわち解錠となる。
【００３６】
なお、合カギ５１の挿入部５５とカギ穴１３とは、その先端部において、合カギ５１の外径とカギ穴１３の内径が嵌合状態であり、かつ係合凹部６１と係合凸部３３とが嵌合状態であることから、カギ穴１３内部の形状と合カギ挿入部５５の形状とが合致することとなって、合カギ５１の回動操作が内筒１１に伝わり、内筒１１の回動が可能となる。
【００３７】
ここで、例えば、この施解錠装置１を不正に解錠させようと、シリンダ錠３の内筒１１に対してドライバーなどの工具を使った場合、カギ穴１３内に、工具等を挿入することとなるが、このカギ穴１３に対して正しく合う形状でないことから、係合凸部３３に対して噛み合うことができず、これにより係合凸部３３を押圧することとなる。すると、係合凸部３３を先端とする摺動片３１が、内筒１１の挿通穴２９を半径方向外側に摺動移動し、基端に当接している支持片３７を押圧することとなる。支持片３７は、その押圧力により、図７に示すように、変形し、すなわち圧潰して、摺動片３１が挿通穴２９を摺動後退し、その基端が外筒７の空間部３５内に移動することとなる。これにより、内筒１１と外筒７との境界部分２７に、摺動片３１が位置することになり、無理に回動を行おうとしても、内筒１１は回動が不能となり、すなわち解錠操作が不可能となる。
【００３８】
従ってこのように構成された施解錠装置１では、シリンダ錠３の内筒１１を外筒７に対して回動するには、各タンブラーピン１７を貫通穴１５の軸線方向所定位置に移動させる合カギ５１をカギ穴１３内に挿入し、各タンブラーピン１７のシアライン２５を境界部２７に一致させなければならないとともに、カギ穴１３内において、カギ穴１３形状と合カギ５１の挿入部５５の外形が合致し、係合凹部６１と係合凸部３３とが互いに嵌合する構成とされなければならない。
【００３９】
これにより、平板形状の合カギを用い、シリンダ錠の内筒を回動させる従来のような施解錠装置に比べ、シリンダ錠３のカギ穴１３の形状を円形としたことにより、カギ穴１３に対しての不正な操作、すなわち内筒１１を回動させようとしても、回動方向に掛かる形状ではないことから、この内筒１１を回動させることが構造上不可能であり、防犯性が高い施解錠装置を得られることとなる。そして特に、従来の平板形状の合カギに比べ、合カギ５１の挿入部５５の形状を円柱状としたことで、ディンプル５９の深さを多段に構成することができ、かつ、挿入部５５の外径を細径部５７などと組み合わせることが可能となるので、カギ違いの組合せを増大させることが可能となる。
【００４０】
また、上記施解錠装置１によれば、内筒１１内を径方向に摺動可能な摺動片３１を設け、この摺動片３１の外周側の外筒７に圧潰可能な支持片３７を設けた構成としたことで、合カギ５１以外の工具等をカギ穴１３内に挿入することにより、摺動片３１が外筒７と内筒１１との境界部２７へ移動してしまい、これにより内筒１１を外筒７に対して回動不能としてしまうことから、不正な解錠操作を合カギ５１以外の物等で行おうとするとシリンダ錠３が操作不能となり、すなわち施錠状態を維持して使用不可能な状態とすることができ、不正に解錠する犯罪を未然に防ぐことができる。
【００４１】
なお、上述した実施の形態では、合カギ５１の構造として、細径部５７を挿入部５５の略中途部分に設けた構成としたが、この細径部５７の形成位置は、挿入部５５に形成されるディンプル５９とともに、その他の位置に形成してもよく、この細径部５７およびディンプル５９の形成位置や、細径部５７の径など、種々の組合せとすることで、カギ違いを増やすことが可能となる。
【００４２】
また、シリンダ錠３のカギ穴１３内に配置される係合凸部３３を有した摺動片３１の位置を、カギ穴１３の奥方に位置させ、この係合凸部３３に対応する合カギ挿入部５５の係合凹部６１を挿入部５５の先端に配置させる構成として述べたが、カギ穴１３内の中途部分に係合凸部３３を配置し、合カギ挿入部５５の中途部分に係合凹部６１を設けるなど、その配置位置については他の位置として構成してもよい。
【００４３】
【発明の効果】
以上説明したように本発明による施解錠装置では、合カギの挿入部の形状を断面円形な円柱状とし、カギ穴の形状を円形穴としたので、このシリンダ錠に対して不正な解錠操作を行おうとカギ穴に工具などを係止しようとしても、回動方向に掛かる形状でないことから、内筒を回動させる操作を行うことが不可能であり、防犯性が高い施解錠装置を得られることとなる。そして、この施解錠装置では、シリンダ錠の内筒を外筒に対して回動するには、各タンブラーピンを軸線方向所定位置に移動させる合カギをカギ穴内に挿入し、各タンブラーピンのシアラインを境界部に一致させなければならないとともに、カギ穴内において、カギ穴形状と合カギの挿入部の外形が合致し、係合凹部と係合凸部とが互いに嵌合する構成とされなければならず、合カギの複製などが容易に行えず、このことからも防犯性が高い施解錠装置を得られることとなる。
【００４４】
また、従来の平板形状の合カギに比べ、合カギの挿入部の形状が円柱状であることから、凹部の深さを多段に構成することができ、かつ、挿入部の外径を細径部などと組み合わせることが可能となるので、カギ違いの組合せを増大させることが可能となる。
【００４５】
さらに、係合凸部と係合凹部とを、軸線方向に長尺な構成とすることで、係合凸部と係合凹部との係合状態が、周方向での噛み合いが長尺となり、係合凹部側である合カギの回動操作を確実に係合凸部側である内筒に伝達でき、合カギによる内筒の施解錠の操作が行えることとなる。
【００４６】
また、内筒内を径方向に摺動可能な摺動片を設け、この摺動片の外周側の外筒に圧潰可能な支持片を設けた構成としたことで、合カギ以外の工具等をカギ穴内に挿入することにより、摺動片が外筒と内筒との境界部へ移動してしまい、これにより内筒を外筒に対して回動不能としてしまうことから、不正な解錠操作を合カギ以外の物等で行おうとするとシリンダ錠が操作不能となり、すなわち施錠状態を維持して使用不可能な状態とすることができ、不正に解錠する犯罪を未然に防ぐことができる。
【図面の簡単な説明】
【図１】本発明による施解錠装置の実施の形態を示す側断面図である。
【図２】同施解錠装置のシリンダ錠の側断面図である。
【図３】同施解錠装置のシリンダ錠の正面図である。
【図４】同施解錠装置のシリンダ錠の正断面図である。
【図５】同施解錠装置の合カギを示す側面図である。
【図６】同施解錠装置の合カギを示す正面図である。
【図７】同施解錠装置の操作状態を示す正断面図である。
【図８】従来の施解錠装置の合カギを示す斜視図である。
【図９】同合カギの断面図である。
【図１０】従来の施解錠装置のシリンダ錠を示す断面図である。
【図１１】従来の施解錠装置のシリンダ錠を示す断面図である。
【符号の説明】
１…施解錠装置
３…シリンダ錠
７…外筒
１１…内筒
１３…カギ穴
１７…タンブラーピン
２５…シアライン
２７…境界部
２９…挿通穴
３１…摺動片
３３…係合凸部
３５…空間部
３７…支持片
５１…合カギ
５５…挿入部
５７…細径部
５９…凹部（ディンプル）
６１…係合凹部
【図１】
0004128375.tif 000002
【図２】
0004128375.tif 000003
【図３】
0004128375.tif 000004
【図４】
0004128375.tif 000005
【図５】
0004128375.tif 000006
【図６】
0004128375.tif 000007
【図７】
0004128375.tif 000008
【図８】
0004128375.tif 000009
【図９】
0004128375.tif 000010
【図１０】
0004128375.tif 000011
【図１１】
0004128375.tif 000012